(57)【特許請求の範囲】
【請求項１】
長手方向に沿って長孔が長く形成されたガイド部と；
キーボード面に対して平行する方向へ左右に広げられて拡張されることができるように互いに異なるヒンジ部によって前記ガイド部にヒンジ結合される二つのキーボードピース（Ｐｉｅｃｅ）で構成され、拡張状態で前記二つのキーボードピースを摺動させて相互対向する端を互いに密着させることができるように、それぞれのヒンジ部が前記長孔に沿ってスライディング可能に結合されているキーボード本体と；を含み、
拡張の時、前記キーボードピースの横方向と縦方向が相互反転されるように、前記ヒンジ結合が行われることを特徴とするポータブルコンピューターの折畳式キーボード。
【請求項２】
前記ガイド部はディスプレー部が設けられたポータブルコンピューター本体の下端部に固定され、前記本体の下端部に対応される長さを有することを特徴とする請求項１に記載のポータブルコンピューターの折畳式キーボード。
【請求項３】
前記キーボード本体を構成する二つのキーボードピースは面積が互いに同一の実質的な四角形に形成され、前記ヒンジ部を中心に完全に広げられた後摺動して互いに密着された状態でのキーボード全体の横長が、完全に折畳まれた状態でのキーボード全体の縦長の二倍になることを特徴とする請求項１または２に記載のポータブルコンピューターの折畳式キーボード。
【請求項４】
各キーボードピースの外側の隅部が前記ヒンジ部に連結されることを特徴とする請求項３に記載のポータブルコンピューターの折畳式キーボード。
【請求項５】
前記ヒンジ部の両端には前記長孔の幅に比べてその直径がさらに大きいヘッド部が備えられることを特徴とする請求項４に記載のポータブルコンピューターの折畳式キーボード。
【請求項６】
長孔が長く形成されたガイド部が設けられたポータブルコンピューターに装着される折畳式キーボードであって、
キーボード面に対して平行する方向へ左右に広げられて拡張されることができるように、互いに異なるヒンジ部によって前記ガイド部にヒンジ結合される二つのキーボードピース（Ｐｉｅｃｅ）で構成され、拡張状態で前記二つのキーボードピースを摺動させて相互対向する端を互いに密着させることができるように、それぞれのヒンジ部が前記長孔に沿ってスライディング可能に結合されているキーボード本体を含み、
拡張の時、前記キーボードピースの横方向と縦方向が相互反転されるように、前記ヒンジ結合が行われることを特徴とするポータブルコンピューターの折畳式キーボード。
【発明の詳細な説明】
【技術分野】
【０００１】
本発明はポータブルコンピューターの折畳式キーボードに関し、さらに詳しくは、ＵＭＰＣ（Ｕｌｔｒａ  Ｍｏｂｉｌｅ  ＰＣ）のようなポータブルコンピューターに装着され、使用において便宜を提供できるように大きさを拡張させることができる構造を有するポータブルコンピューターの折畳式キーボードに関する。
【背景技術】
【０００２】
コンピューターの入力装置でよく使われているキーボードは国語／英語文字キー、数字キー、特殊記号キー、機能キーなど複数のキーが密集されている構造上小型化が困難であり、小型に製作されても一般の使用者の手の大きさによる制約によってデータの入力作業が難しい問題がある。
【０００３】
特に、最近需要が急増しているＵＭＰＣのような超小型のポータブルコンピューターの場合には、通常１０インチ以内のディスプレー部が搭載され、本体に装着されている一体型キーボードも非常に小さな大きさで提供されて使用が不便であるため、キーボード構造の改善が要求されている。一体型キーボードの不便さを解消するためにＵＳＢ（Ｕｎｉｖｅｒｓａｌ  Ｓｅｒｉａｌ  Ｂｕｓ）などを通じてコンピューター本体に連結される分離型キーボードも使用されているが、分離型キーボードは携帯が不便で、紛失の虞があって、取り扱いの時注意が要求される。
【０００４】
キーボード構造の改善と関して大韓民国公開実用新案公報第１９９５−２５６６５号（ポータブルコンピューターの組立式キーボード）には、キーボード本体の両側面に収納部を形成して補助キーボードを収納保管し、使用の時、補助キーボードを取り出してキーボード本体の両方に結合して組立てる構造のキーボードが開示されている。しかし、この組立式キーボードは頻繁な着脱操作によってキーボード本体と補助キーボードとの間を電気的に接続する端子が摩耗されたり、異物に露出されて接点不良が発生することができるという短所がある。
【０００５】
他の例として、大韓民国公開特許公報第１９９８−２８４３５号（折畳可能なキーボードを有するポータブルコンピューター）と大韓民国公開実用新案公報第１９９９−００１６４３号（ポータブルコンピューターの折畳式キーボード構造）には折畳式構造を通じてキーボードの大きさを拡張させることができるキーボードが開示されている。上記公開技術で提示しているキーボードは、キーボードを構成する部分を互いに折畳んでおいて広げて使用するようにする折畳構造を採用している。しかし、このような構造はキーボードを折畳んだ時全体厚さが厚くなるためポータブルコンピューターを薄型に製作し難い問題点がある。
【先行技術文献】
【特許文献】
【０００６】
【特許文献１】大韓民国公開実用新案公報第１９９５−２５６６５号
【特許文献２】大韓民国公開特許公報第１９９８−２８４３５号
【特許文献３】大韓民国公開実用新案公報第１９９９−００１６４３号
【発明の概要】
【発明が解決しようとする課題】
【０００７】
本発明は上記のような問題点を解決するために創出されたもので、キーボードを二つのピース（Ｐｉｅｃｅ）で分けて折畳式で構成するが、キーボードの厚さは変わらないでキーボードピースを広げて全体大きさを拡張させる構造を有するポータブルコンピューターの折畳式キーボードを提供することをその目的とする。
【課題を解決するための手段】
【０００８】
上記のような目的を果たすために、本発明は、キーボード面に対して平行する方向へ左右に広げられて拡張されることができるように、ヒンジ部によって相互ヒンジ結合される二つのキーボードピース（Ｐｉｅｃｅ）からなるキーボード本体を備え、拡張の時前記キーボードピースの横方向と縦方向が相互反転されるように前記ヒンジ結合が行われることを特徴とするポータブルコンピューターのスイングタイプ（Ｓｗｉｎｇ  ｔｙｐｅ）の折畳式キーボードを開示する。
【０００９】
スイングタイプの折畳式キーボードは前記ポータブルコンピューターの本体に対して前記キーボード本体を選択的に分離／締結するための接続部材をさらに含むことができる。
【００１０】
前記接続部材は一端が前記ヒンジ部に固定され、前記本体の一側を通じて前記本体に挿入可能に設置されることができる。
【００１１】
代案として、前記接続部材は一端が前記ヒンジ部に固定され、他端は前記本体の一側に固定された、長さの調節が可能な多段パイプ形態に構成されることもできる。
【００１２】
前記キーボード本体を構成する二つのキーボードピースは面積が互いに同一の実質的な四角形に形成されて、前記ヒンジ部を中心に完全に広げられた状態でのキーボード全体の横長が、完全に折畳まれた状態でのキーボード全体の縦長の二倍になることが好ましい。
【００１３】
前記キーボード本体を構成する二つのキーボードピースは相互対向する一側の隅部が前記ヒンジ部に連結されてヒンジ結合されることが好ましい。
【００１４】
本発明の他の側面によれば、長手方向に沿って長孔が長く形成されるガイド部と；キーボード面に対して平行する方向へ左右に広がって拡張されることができるように互いに異なるヒンジ部によって前記ガイド部にヒンジ結合される二つのキーボードピースで構成され、拡張状態で前記二つのキーボードピースを摺動させて、相互対向する端を互いに密着させることができるように、それぞれのヒンジ部が前記長孔に沿ってスライディング可能に結合されているキーボード本体と；を含み、拡張の時前記キーボードピースの横方向と縦方向が相互反転されるように前記ヒンジ結合が行われることを特徴とするスライディングタイプの折畳式キーボードが提供される。
【００１５】
前記ガイド部はディスプレー部が設けられたポータブルコンピューター本体の下端部に固定され、前記本体の下端部に対応される長さを有することが好ましい。
【００１６】
前記キーボード本体を構成する二つのキーボードピースは面積が互いに同一の実質的な四角形に形成されて、前記ヒンジ部を中心に完全に広げられた後摺動して互いに密着された状態でのキーボード全体の横長が、完全に折畳まれた状態でのキーボード全体の縦長の二倍になることが好ましい。
【００１７】
好ましくは、各キーボードピースの外側の隅部は前記ヒンジ部に連結されることができる。
【００１８】
前記ヒンジ部はその両端に前記長孔の幅に比べて直径がより大きいヘッド部が備えられた構造を有することが好ましい。
【００１９】
本発明の他の実施形態によれば、長孔が長く形成されたガイド部が設けられたポータブルコンピューターに装着される折畳式キーボードであって、キーボード面に対して平行する方向へ左右に広げられて拡張されることができるように互いに異なるヒンジ部によって前記ガイド部にヒンジ結合される二つのキーボードピースで構成され、拡張状態で前記二つのキーボードピースを摺動させて相互対向する端を互いに密着させることができるように、それぞれのヒンジ部が前記長孔に沿ってスライディング可能に結合されているキーボード本体を含み、拡張の時、前記キーボードピースの横方向と縦方向が相互反転されるように前記ヒンジ結合が行われることを特徴とするポータブルコンピューターのスライディングタイプの折畳式キーボードが提供される。
【図面の簡単な説明】
【００２０】
本明細書に添付される以下の図面は本発明の好ましい実施形態を例示するものであり、後述する発明の詳細な説明とともに本発明の技術思想をさらに理解させる役割を果たすもので、本発明はこのような図面に記載された事項にのみ限定されて解釈されてはならない。
【図１】本発明の好ましい実施形態によって提供されるスイングタイプの折畳式キーボードの構成を示す斜視図である。
【図２】図１に示されたスイングタイプの折畳式キーボードの作動を示す平面図である。
【図３】図２で接続部材の他の構成例を示す側面図である。
【図４】本発明の好ましい他の実施形態によって提供されるスライディングタイプの折畳式キーボードの構成を示す斜視図である。
【図５】図４に示されたスライディングタイプの折畳式キーボードの作動を示す平面図である。
【図６】図５でヒンジ部の構成例を示す側面図である。
【発明を実施するための形態】
【００２１】
以下、添付された図面を参照して本発明の好ましい実施形態を詳しく説明する。これに先立って、本明細書及び請求範囲に使用された用語や単語は通常的な意味や辞書的な意味に限定して解釈されてはならなく、発明者は自分の発明を最も最善の方法で説明するために用語の概念を適切に定義することができるという原則に即して、本発明の技術思想に符合する意味や概念に解釈すべきである。したがって、本明細書に記載された実施形態と図面に示された構成は本発明の最も好ましい一実施形態に過ぎず、本発明の技術思想を全部代弁するものではないので、本出願の時点においてこれらを代替することができる多様な均等物及び変形例があり得ることを理解すべきである。
【００２２】
図１及び図２には本発明の好ましい実施形態によって提供されるスイングタイプの折畳式キーボードの構成及び作動原理が示されている。
【００２３】
図１及び図２によれば、本発明の好ましい実施形態によるスイングタイプの折畳式キーボードは、キーボード面に対して平行する方向に広げられて拡張可能になるように二つのキーボードピース１００ａ、１００ｂがヒンジ結合されて構成されるキーボード本体１００と、ポータブルコンピューターの本体２００とキーボード本体１００を機構的に連結する接続部材１０２とを含む。ここで、キーボード面は国語／英語文字キー、数字キー、特殊記号キー、機能キーなど複数のキーが密集されているキーボードの平面部分を指称する。
【００２４】
図面にはディスプレー部２０１の側にポータブルコンピューターの本体２００が設けられ、この本体２００に折畳式キーボードが連結された構造が示されているが、本発明はこれに限定されないで、キーボード本体１００の側に本体２００の構成が搭載され、このキーボード本体１００がディスプレー部２０１と連結されるように変形されることも可能である。以下ではディスプレー部２０１の側に本体２００が設けられた場合を中心に本発明の構成を説明する。
【００２５】
キーボード本体１００を構成する二つのキーボードピース１００ａ、１００ｂは相互対向する一方の隅部がヒンジ部１０１によって連結されてヒンジ結合された構造を有する。ここで、ヒンジ部１０１のヒンジ軸Ａ方向はキーボード面の法線方向と平行するので二つのキーボードピース１００ａ、１００ｂはキーボード面に対して平行する方向に広げられて拡張される。
【００２６】
拡張の時キーボードピース１００ａ、１００ｂはヒンジ部１０１を中心にその内角θが好ましく１８０度になるように回動されて完全に広げられる。したがって、拡張前後に各キーボードピース１００ａ、１００ｂの横方向と縦方向は相互反転される。即ち、拡張前にキーボードピース１００ａ、１００ｂの横と縦がそれぞれｂ、ａの場合、拡張後にはキーボードピース１００ａ、１００ｂの横と縦でがそれぞれａ、ｂとなる。
【００２７】
キーボード本体１００を構成する二つのキーボードピース１００ａ、１００ｂは面積が互いに同一の実質的な四角形に形成される。したがって、ヒンジ部１０１を中心に完全に広げられた状態でのキーボード全体の横長は、完全に折畳まれた状態でのキーボード全体の縦長の二倍になる。
【００２８】
前記ヒンジ部１０１を中心に完全に広げられた状態で前記キーボードの一方の横部分は本体２００の下端部に当接することが好ましい。
【００２９】
接続部材１０２は本体２００に対してキーボード本体１００を機構的に連結して、本体２００からキーボード本体１００を選択的に分離または締結することができる機能を提供する。このために、接続部材１０２はストリップ状や棒状に形成されて、一端がヒンジ部１０１に固定され、本体２００の一側（例えば、下端部）を通じて本体２００の内部または背面に挿入可能に設置される。図３に示すように、接続部材１０２′は一端がヒンジ部１０１に固定され、他端は本体２００の一側（例えば、下端部）に固定された、長さの調節が可能になるように互いに異なる直径のパイプが連結された多段パイプ形態を有することも可能である。
【００３０】
図面には図示していないが、接続部材１０２の一側にはヒンジ構造が設けられて、実質的にキーボード本体１００と本体２００をヒンジ結合することも可能である。
【００３１】
キーボード本体１００と本体２００との間にデータを伝送するためのインターフェースは通常のＵＳＢケーブルによって提供されることが好ましいが、これに限定されないで公知されている多様な技術が採択されることができることはもちろんである。
【００３２】
それでは、図２を参照して本発明の好ましい実施形態によるスイングタイプの折畳式キーボードの作動を説明する。
【００３３】
キーボードを使用する場合、使用者は、まず、図２ａに示すように、本体２００からキーボード本体１００を引張って分離しなければならない。この時、本体２００とキーボード本体１００は接続部材１０２によって連結された状態を維持しながら相互離間されるように分離される。
【００３４】
以後、図２ｂに示すように、キーボード本体１００を構成する二つのキーボードピース１００ａ、１００ｂを左右に広げると、ヒンジ部１０１を中心にキーボードピース１００ａ、１００ｂが回動されながら、その横方向及び縦方向が反転され、内角θが１８０度になるまで広げると、図２ｃのように完全に拡張されてキーが整列されたキーボードを構成する。この時、接続部材１０２の長さを適切に調節すればキーボード本体１００の横部分が本体２００の下端部に密着されて安定的に固定されることができる。
【００３５】
図面には図示しないが、拡張状態をより安定的に維持するためにはキーボード本体１００と本体２００との間を所定の溝と突起を利用して嵌め込み方式で固定する構造をさらに採択することが好ましい。
【００３６】
図４及び図５には本発明の好ましい他の実施形態によって提供されるスライディングタイプの折畳式キーボードの構成及び作動原理が図示されている。
【００３７】
図４及び図５によれば、本発明の好ましい実施形態によるスライディングタイプの折畳式キーボードはポータブルコンピューターの本体２００に固定されるガイド部３０２と、キーボード面に対して平行する方向に広げられて拡張可能になるようにガイド部３０２にそれぞれヒンジ結合されるとともにガイド部３０２の長手方向に沿ってスライディング可能に結合された二つのキーボードピース３００ａ、３００ｂで構成されるキーボード本体３００とを含む。ここで、キーボード面は国語／英語文字キー、数字キー、特殊記号キー、機能キーなど複数のキーが密集されているキーボードの平面部分を指称する。
【００３８】
図面には、ディスプレー部２０１の側にポータブルコンピューターの本体２００が設けられ、この本体２００に折畳式キーボードが連結された構造が図示されているが、本発明はこれに限定されないで、キーボード本体３００の側に本体２００の構成が搭載され、このキーボード本体３００がディスプレー部２０１と連結されるように変形されることも可能である。以下では、ディスプレー部２０１の側に本体２００が設けられた場合を中心に本発明の構成を説明する。
【００３９】
ガイド部３０２は本体２００の下端部に対応する長さを有し、その長手方向に沿って長く長孔３０２ａが形成された構造を有する。ガイド部３０２は本体２００に着脱可能に結合されることができ、他の実施形態では本体２００の一部を構成するように本体２００に一体化されることも可能である。
【００４０】
キーボード本体３００を構成する二つのキーボードピース３００ａ、３００ｂはそれぞれ外側の隅部が互いに異なるヒンジ部３０１によってガイド部３０２に締結されてヒンジ結合された構造を有する。ここで、ヒンジ部３０１のヒンジ軸Ａ方向はキーボード面の法線方向と平行するので二つのキーボードピース３００ａ、３００ｂはキーボード面に対して平行する方向に広げられて拡張される。
【００４１】
拡張の時、キーボードピース３００ａ、３００ｂはそれぞれのヒンジ部３０１を中心に回動されて完全に広げられる。したがって、拡張前後に各キーボードピース３００ａ、３００ｂの横方向と縦方向は相互反転される。即ち、拡張前にキーボードピース３００ａ、３００ｂの横と縦がそれぞれｂ、ａの場合、拡張後にはキーボードピース３００ａ、３００ｂの横と縦がそれぞれａ、ｂになる。
【００４２】
二つのキーボードピース３００ａ、３００ｂにそれぞれ対応される二つのヒンジ部３０１は、ガイド部３０２の長孔３０２ａに嵌め込まれるが、長孔３０２ａに沿ってスライディング可能に結合される。図６に示すように、ヒンジ部３０１の両端には長孔３０２ａの幅に対応されるヒンジ部３０１の軸の直径に比べてその直径が大きく形成されてガイド部３０１の表面に沿ってスライディングするようになるヘッド部３０１ａが設けられることが好ましい。
【００４３】
キーボード本体３００を構成する二つのキーボードピース３００ａ、３００ｂは面積が互いに同一の実質的な四角形に形成される。したがって、ヒンジ部３０１を中心に完全に広げられた後摺動して互いに密着された状態でのキーボード全体の横長が、完全に折畳まれた状態でのキーボード全体の縦長の二倍になる。
【００４４】
図面には図示しないが、キーボード本体３００とガイド部３０２、またはガイド部３０２と本体２００との間はヒンジ結合されることも可能である。また、本体２００と当接する方のキーボードピース３００ａ、３００ｂの辺縁には所定の溝が長く形成されて、本体２００との結合をより堅固にすることも可能である。また、二つのキーボードピース３００ａ、３００ｂにおいて、密着の時互いに当接する方の端には所定の凹凸パターンを形成して互いに噛み合うようにすることによってキーボードの使用時、キーボードピースの間の結合をより安定的に維持することも可能である。
【００４５】
キーボード本体３００と本体２００との間にデータを伝送するためのインターフェースは通常のＵＳＢケーブルによって提供されることが好ましいが、これに限定されないで公知されている多様な技術が採択されることができることは勿論である。
【００４６】
それでは、図５を参照して本発明の好ましい実施形態によるスライディングタイプの折畳式キーボードの作動を説明する。
【００４７】
図５ａに示すように、キーボードが完全に折畳まれた状態で、キーボードを使用するために使用者がキーボード本体３００を構成する二つのキーボードピース３００ａ、３００ｂを左右に完全に広げると、それぞれのヒンジ部３０１を中心にキーボードピース３００ａ、３００ｂが回動されながら、その横方向及び縦方向が反転されながら、図５ｂのように拡張される。
【００４８】
以後、二つのキーボードピース３００ａ、３００ｂを集める方向に移動させると、各キーボードピース３００ａ、３００ｂのヒンジ部３０１がガイド部３０２の長孔３０２ａに沿ってスライディングして、図５ｃのように、キーボードピース３００ａ、３００ｂにおいて相互対向する端が互いに密着されてキーが整列されたキーボードを構成する。
【００４９】
以上で本発明は限定された実施形態及び図面によって説明されたが、本発明はこれによって限定されるものではなく、本発明が属する技術分野において通常の知識を有する者によって本発明の技術思想と以下に記載する特許請求の範囲の均等な範囲内で多様な修正及び変形が可能であることは勿論である。
（産業上の利用の可能性）
【００５０】
本発明によれば、ＵＭＰＣのようなポータブルコンピューターの小型キーボードを大きく拡張して使用することができるので、データの入力作業を容易に実施することができ、ヒンジ部などを通じて実質的にポータブルコンピューターにキーボードが一体化されるので取り扱いが便利で、より広い画面のポータブルコンピューターに有用に適用することができるという長所がある。
【００５１】
また、キーボードの拡張の時にもキーボードの厚さは一定に維持されるのでポータブルコンピューターを薄型に製作することができるという長所がある。
【符号の説明】
【００５２】
１００、３００：キーボード本体  
１０１、３０１：ヒンジ部
１０２、１０２′：接続部材  
２００：本体
２０１：ディスプレー部  
３０１ａ：ヘッド部
３０２：ガイド部  
３０２ａ：長孔
【図１】
0005632058.tif 000002
【図２】
0005632058.tif 000003
【図３】
0005632058.tif 000004
【図４】
0005632058.tif 000005
【図５】
0005632058.tif 000006
【図６】
0005632058.tif 000007